(57)【特許請求の範囲】
【請求項１】
表示装置の種類に関する情報である種別情報を取得する種別取得部と、
前記種別取得部が取得した前記種別情報に基づいて前記表示装置の色変換を行うための第１の測色用画像を選択するとともに、当該表示装置で第１の測色用画像の色情報を取得する位置を決定するための第２の測色用画像を表示するか否かを当該種別情報に基づいて決定する画像選択部と、
前記画像選択部により選択された第１の測色用画像の情報および当該画像選択部が第２の測色用画像を表示すると決定したときは第２の測色用画像の情報を前記表示装置に送信する画像情報送信部と、
前記画像情報送信部により送信された第１の測色用画像の情報および当該画像選択部が第２の測色用画像を表示すると決定したときは第２の測色用画像の情報を基に前記表示装置に表示された画像の色情報を取得する色情報取得部と、
第１の測色用画像を前記表示装置に表示することで前記色情報取得部により取得された色情報に基づいて前記表示装置にて表示する画像の色の変換関係を作成する変換関係作成部と、
第２の測色用画像を前記表示装置に表示することで前記色情報取得部により取得された色情報に基づいて第１の測色用画像の色情報を取得する位置を決定する測定位置決定部と、
を備えることを特徴とする画像処理装置。
【請求項２】
前記種別取得部が取得した前記種別情報に基づいて、前記表示装置の色変換を行なうための方法を決定する色変換方法決定部をさらに備えることを特徴とする請求項１に記載の画像処理装置。
【請求項３】
前記画像選択部は、前記種別取得部が取得した前記種別情報に基づいて、選択する第１の測色用画像の数を変化させることを特徴とする請求項１または２に記載の画像処理装置。
【請求項４】
前記画像選択部が選択する第２の測色用画像は、前記表示装置の面内むらおよび色視野角の少なくとも一方を測定するためのものであることを特徴とする請求項１乃至３の何れか１項に記載の画像処理装置。
【請求項５】
前記画像選択部は、前記表示装置の種別を判定するための第３の測色用画像を選択し、
前記色情報取得部により取得された色情報に基づいて前記種別を判定し前記種別情報を生成することを特徴とする請求項１乃至４の何れか１項に記載の画像処理装置。
【請求項６】
表示装置にて画像を表示するための画像情報を、予め定められた変換関係を用いて色変換処理を行い当該表示装置に出力する色変換手段と、
前記色変換手段で用いられる前記変換関係を作成する変換関係作成手段と、
を備え、
前記変換関係作成手段は、
前記表示装置の種類に関する情報である種別情報を取得する種別取得部と、
前記種別取得部が取得した前記種別情報に基づいて前記表示装置の色変換を行うための第１の測色用画像を選択するとともに、当該表示装置で第１の測色用画像の色情報を取得する位置を決定するための第２の測色用画像を表示するか否かを当該種別情報に基づいて決定する画像選択部と、
前記画像選択部により選択された第１の測色用画像の情報および当該画像選択部が第２の測色用画像を表示すると決定したときは第２の測色用画像の情報を前記表示装置に送信する画像情報送信部と、
前記画像情報送信部により送信された第１の測色用画像の情報および当該画像選択部が第２の測色用画像を表示すると決定したときは第２の測色用画像の情報を基に前記表示装置に表示された画像の色情報を取得する色情報取得部と、
第１の測色用画像を前記表示装置に表示することで前記色情報取得部により取得された色情報に基づいて前記変換関係を作成する変換関係作成部と、
第２の測色用画像を前記表示装置に表示することで前記色情報取得部により取得された色情報に基づいて第１の測色用画像の色情報を取得する位置を決定する測定位置決定部と、
を備えることを特徴とする色調整システム。
【請求項７】
画像を表示する表示装置と、
前記表示装置にて画像を表示するための画像情報を、予め定められた変換関係を用いて色変換処理を行い当該表示装置に出力する色変換手段と、
前記色変換手段で用いられる前記変換関係を作成する変換関係作成手段と、
を備え、
前記変換関係作成手段は、
前記表示装置の種類に関する情報である種別情報を取得する種別取得部と、
前記種別取得部が取得した前記種別情報に基づいて前記表示装置の色変換を行うための第１の測色用画像を選択するとともに、当該表示装置で第１の測色用画像の色情報を取得する位置を決定するための第２の測色用画像を表示するか否かを当該種別情報に基づいて決定する画像選択部と、
前記画像選択部により選択された第１の測色用画像の情報および当該画像選択部が第２の測色用画像を表示すると決定したときは第２の測色用画像の情報を前記表示装置に送信する画像情報送信部と、
前記画像情報送信部により送信された第１の測色用画像の情報および当該画像選択部が第２の測色用画像を表示すると決定したときは第２の測色用画像の情報を基に前記表示装置に表示された画像の色情報を取得する色情報取得部と、
第１の測色用画像を前記表示装置に表示することで前記色情報取得部により取得された色情報に基づいて前記変換関係を作成する変換関係作成部と、
第２の測色用画像を前記表示装置に表示することで前記色情報取得部により取得された色情報に基づいて第１の測色用画像の色情報を取得する位置を決定する測定位置決定部と、
を備えることを特徴とする色調整システム。
【請求項８】
コンピュータに、
表示装置の種類に関する情報である種別情報を取得する機能と、
取得した前記種別情報に基づいて前記表示装置の色変換を行うための第１の測色用画像を選択するとともに、当該表示装置で第１の測色用画像の色情報を取得する位置を決定するための第２の測色用画像を表示するか否かを当該種別情報に基づいて決定する機能と、
選択された第１の測色用画像の情報および第２の測色用画像を表示すると決定したときは第２の測色用画像の情報を前記表示装置に送信する機能と、
送信された第１の測色用画像の情報および第２の測色用画像を表示すると決定したときは第２の測色用画像の情報を基に前記表示装置に表示された画像の色情報を取得する機能と、
第１の測色用画像を前記表示装置に表示することで取得された色情報に基づいて前記表示装置にて表示する画像の色の変換関係を作成する機能と、
第２の測色用画像を前記表示装置に表示することで取得された色情報に基づいて第１の測色用画像の色情報を取得する位置を決定する機能と、
を実現させるプログラム。
【発明の詳細な説明】
【技術分野】
【０００１】
本発明は、画像処理装置、色調整システム、プログラムに関する。
【背景技術】
【０００２】
特許文献１には、モニタ特性測定装置は、測定対象となる接続されているモニタにモニタの表示特性を測定する各処理画面を表示し、「モニタ種類の選択」でモニタの種類に応じたＲＧＢ原色の色度を設定し、「階調の調整」で、目視または測定器を用いて、無彩色のグラデーションによってＲＧＢ原色の階調再現特性を測定し、「白色色度の調整」で、目視または測定器を用いて、基準白色を所定の照明環境下で測色し、白色色度を測定し、「プロファイルの作成」で、これらの測定結果のデータから、モニタプロファイルを作成、保持するモニタプロファイル作成システムが開示されている。
【先行技術文献】
【特許文献】
【０００３】
【特許文献１】特開２００５−２０８９８２号公報
【発明の概要】
【発明が解決しようとする課題】
【０００４】
表示装置にて表示する画像の色調整を行う場合、表示装置の色再現特性を考慮して色調整を行なうことが望ましい。
【課題を解決するための手段】
【０００５】
請求項１に記載の発明は、表示装置の種類に関する情報である種別情報を取得する種別取得部と、前記種別取得部が取得した前記種別情報に基づいて前記表示装置の色変換を行うための第１の測色用画像を選択するとともに、当該表示装置で第１の測色用画像の色情報を取得する位置を決定するための第２の測色用画像を表示するか否かを当該種別情報に基づいて決定する画像選択部と、前記画像選択部により選択された第１の測色用画像の情報および当該画像選択部が第２の測色用画像を表示すると決定したときは第２の測色用画像の情報を前記表示装置に送信する画像情報送信部と、前記画像情報送信部により送信された第１の測色用画像の情報および当該画像選択部が第２の測色用画像を表示すると決定したときは第２の測色用画像の情報を基に前記表示装置に表示された画像の色情報を取得する色情報取得部と、第１の測色用画像を前記表示装置に表示することで前記色情報取得部により取得された色情報に基づいて前記表示装置にて表示する画像の色の変換関係を作成する変換関係作成部と、第２の測色用画像を前記表示装置に表示することで前記色情報取得部により取得された色情報に基づいて第１の測色用画像の色情報を取得する位置を決定する測定位置決定部と、を備えることを特徴とする画像処理装置である。
【０００６】
請求項２に記載の発明は、前記種別取得部が取得した前記種別情報に基づいて、前記表示装置の色変換を行なうための方法を決定する色変換方法決定部をさらに備えることを特徴とする請求項１に記載の画像処理装置である。
請求項３に記載の発明は、前記画像選択部は、前記種別取得部が取得した前記種別情報に基づいて、選択する第１の測色用画像の数を変化させることを特徴とする請求項１または２に記載の画像処理装置である。
請求項４に記載の発明は、前記画像選択部が選択する第２の測色用画像は、前記表示装置の面内むらおよび色視野角の少なくとも一方を測定するためのものであることを特徴とする請求項１乃至３の何れか１項に記載の画像処理装置である。
請求項５に記載の発明は、前記画像選択部は、前記表示装置の種別を判定するための第３の測色用画像を選択し、前記色情報取得部により取得された色情報に基づいて前記種別を判定し前記種別情報を生成することを特徴とする請求項１乃至４の何れか１項に記載の画像処理装置である。
【０００７】
請求項６に記載の発明は、表示装置にて画像を表示するための画像情報を、予め定められた変換関係を用いて色変換処理を行い当該表示装置に出力する色変換手段と、前記色変換手段で用いられる前記変換関係を作成する変換関係作成手段と、を備え、前記変換関係作成手段は、前記表示装置の種類に関する情報である種別情報を取得する種別取得部と、前記種別取得部が取得した前記種別情報に基づいて前記表示装置の色変換を行うための第１の測色用画像を選択するとともに、当該表示装置で第１の測色用画像の色情報を取得する位置を決定するための第２の測色用画像を表示するか否かを当該種別情報に基づいて決定する画像選択部と、前記画像選択部により選択された第１の測色用画像の情報および当該画像選択部が第２の測色用画像を表示すると決定したときは第２の測色用画像の情報を前記表示装置に送信する画像情報送信部と、前記画像情報送信部により送信された第１の測色用画像の情報および当該画像選択部が第２の測色用画像を表示すると決定したときは第２の測色用画像の情報を基に前記表示装置に表示された画像の色情報を取得する色情報取得部と、第１の測色用画像を前記表示装置に表示することで前記色情報取得部により取得された色情報に基づいて前記変換関係を作成する変換関係作成部と、第２の測色用画像を前記表示装置に表示することで前記色情報取得部により取得された色情報に基づいて第１の測色用画像の色情報を取得する位置を決定する測定位置決定部と、を備えることを特徴とする色調整システムである。
【０００８】
請求項７に記載の発明は、画像を表示する表示装置と、前記表示装置にて画像を表示するための画像情報を、予め定められた変換関係を用いて色変換処理を行い当該表示装置に出力する色変換手段と、前記色変換手段で用いられる前記変換関係を作成する変換関係作成手段と、を備え、前記変換関係作成手段は、前記表示装置の種類に関する情報である種別情報を取得する種別取得部と、前記種別取得部が取得した前記種別情報に基づいて前記表示装置の色変換を行うための第１の測色用画像を選択するとともに、当該表示装置で第１の測色用画像の色情報を取得する位置を決定するための第２の測色用画像を表示するか否かを当該種別情報に基づいて決定する画像選択部と、前記画像選択部により選択された第１の測色用画像の情報および当該画像選択部が第２の測色用画像を表示すると決定したときは第２の測色用画像の情報を前記表示装置に送信する画像情報送信部と、前記画像情報送信部により送信された第１の測色用画像の情報および当該画像選択部が第２の測色用画像を表示すると決定したときは第２の測色用画像の情報を基に前記表示装置に表示された画像の色情報を取得する色情報取得部と、第１の測色用画像を前記表示装置に表示することで前記色情報取得部により取得された色情報に基づいて前記変換関係を作成する変換関係作成部と、第２の測色用画像を前記表示装置に表示することで前記色情報取得部により取得された色情報に基づいて第１の測色用画像の色情報を取得する位置を決定する測定位置決定部と、を備えることを特徴とする色調整システムである。
【０００９】
請求項８に記載の発明は、コンピュータに、表示装置の種類に関する情報である種別情報を取得する機能と、取得した前記種別情報に基づいて前記表示装置の色変換を行うための第１の測色用画像を選択するとともに、当該表示装置で第１の測色用画像の色情報を取得する位置を決定するための第２の測色用画像を表示するか否かを当該種別情報に基づいて決定する機能と、選択された第１の測色用画像の情報および第２の測色用画像を表示すると決定したときは第２の測色用画像の情報を前記表示装置に送信する機能と、送信された第１の測色用画像の情報および第２の測色用画像を表示すると決定したときは第２の測色用画像の情報を基に前記表示装置に表示された画像の色情報を取得する機能と、第１の測色用画像を前記表示装置に表示することで取得された色情報に基づいて前記表示装置にて表示する画像の色の変換関係を作成する機能と、第２の測色用画像を前記表示装置に表示することで取得された色情報に基づいて第１の測色用画像の色情報を取得する位置を決定する機能と、を実現させるプログラムである。
【発明の効果】
【００１０】
請求項１の発明によれば、本構成を有していない場合に比較して、表示装置の色再現特性に合わせ第１の測色用画像の選択を行なうことができ、色変換の精度がより向上する。また本構成を有していない場合に比較して、同一の表示装置において色再現特性に差違が存在する場合でも、この差違に合わせて第１の測色用画像の選択を行なうことができる。
請求項２の発明によれば、本構成を有していない場合に比較して、色変換の精度がさらに向上する。
請求項３の発明によれば、本構成を有していない場合に比較して、デバイス特性に非線形性を有する表示装置についても、この特性に合致した第１の測色用画像の選択を行なうことができる。
請求項４の発明によれば、本構成を有していない場合に比較して、表示装置の表示画面に面内むらや色視野角が存在しても、これを考慮して第１の測色用画像の選択を行なうことができる。
請求項５の発明によれば、本構成を有していない場合に比較して、種別情報をユーザが入力する必要性が低くなる。
請求項６の発明によれば、本構成を有していない場合に比較して、表示装置にて表示する画像の色調整を、より高精度に行うことができる色調整システムが提供できる。
請求項７の発明によれば、本構成を有していない場合に比較して、表示装置にて表示する画像の色調整を、より高精度に行うことができる色調整システムが提供できる。
請求項８の発明によれば、本構成を有していない場合に比較して、表示装置の色再現特性に合わせ第１の測色用画像の選択を行なうことができ、色変換の精度をより向上させることができる機能をコンピュータにより実現できる。また本構成を有していない場合に比較して、同一の表示装置において色再現特性に差違が存在する場合でも、この差違に合わせて第１の測色用画像の選択を行なうことができる機能をコンピュータにより実現できる。
【図面の簡単な説明】
【００１１】
【図１】本実施の形態の画像表示システムの構成例を示す図である。
【図２】図１に示す画像表示システムに色設定システムを取り付けた状態を説明するための図である。
【図３】設定用ＰＣのハードウェア構成を示した図である。
【図４】本実施の形態の設定用ＰＣについての機能構成例を説明した図である。
【図５】本実施の形態の分類基準により分類された表示装置の種別を示した表である。
【図６】面内むら診断のための第２の測色用画像を説明した図である。
【図７】（ａ）〜（ｃ）は、色視野角診断の方法を説明した図である。
【図８】（ａ）〜（ｃ）は、色変換方法決定部が行なう色変換方法を説明した図である。
【図９】これまで説明した事項についてまとめた図である。
【図１０】設定用ＰＣの動作例について説明したフローチャートである。
【発明を実施するための形態】
【００１２】
＜画像表示システムの全体構成の説明＞
以下、添付図面を参照して、本発明の実施の形態について詳細に説明する。
図１は、本実施の形態の画像表示システム１０の構成例を示す図である。
この画像表示システム１０は、ネットワークＮに接続され、表示のための画像データ（入力画像データ、画像の情報）の作成等を行う表示用ＰＣ（Personal Computer）１１と、表示画面１２１に画像を表示する表示装置１２と、表示用ＰＣ１１から入力されてくる入力画像データに色変換テーブル（変換関係）を用いて色変換処理を行い、得られた画像データ（表示用の出力画像データ）を表示装置１２に出力する色変換手段の一例としての色処理装置１３とを備えている。なお、画像表示システム１０は、ネットワークＮを介して、別の画像表示システムや各種プリンタ等と接続されている。
【００１３】
この画像表示システム１０において、表示用ＰＣ１１および色処理装置１３はＤＶＩ（Digital Visual Interface）を介して接続されており、色処理装置１３および表示装置１２もＤＶＩを介して接続されている。なお、ＤＶＩに代えて、ＨＤＭＩ（High-Definition Multimedia Interface：登録商標）やDisplayPortを介して接続するようにしてもかまわない。
【００１４】
供給装置の一例としての表示用ＰＣ１１は、所謂汎用のパーソナルコンピュータである。そして、表示用ＰＣ１１は、ＯＳによる管理下において、各種アプリケーションソフトウェアを動作させることで、入力画像データの作成等が行われるようになっている。
【００１５】
また、表示装置１２は、例えばＰＣ用の液晶ディスプレイ、液晶テレビあるいはプロジェクタなど、加法混色にて画像を表示する機能を備えたもので構成される。したがって、表示装置１２における表示方式は、液晶方式に限定されるものではない。なお、図１に示す例では、表示装置１２内に表示画面１２１が設けられているが、表示装置１２として例えばプロジェクタを用いる場合、表示画面１２１は、表示装置１２の外部に設けられたスクリーン等となる。
【００１６】
色処理装置１３は、出力画像データ作成部１３１と、記憶手段の一例としての色変換テーブル記憶部１３２とを備えている。
【００１７】
出力画像データ作成部１３１は、表示用ＰＣ１１から入力されてくる入力画像データに対し、色変換テーブル記憶部１３２から読み出した色変換テーブルを用いて色変換を施し、得られた表示用の出力画像データを表示装置１２に出力する。
【００１８】
色変換テーブル記憶部１３２は、上述した出力画像データ作成部１３１による表示用の出力画像データの作成において用いられる色変換テーブルを記憶する。ここで、色変換テーブルとしては、例えば変換用の行列（マトリックス）、１次元ＬＵＴ（Look Up Table）あるいは多次元ＬＵＴ等が挙げられるが、本実施の形態では、色変換をより精度良く行うために多次元ＬＵＴが用いられる。なお、色変換テーブル記憶部１３２は、読み書き可能であって電源を供給しなくても記憶内容を保持することが可能な不揮発性メモリ（例えばフラッシュメモリ）で構成される。
【００１９】
ここで、図１に示す画像表示システム１０は、１台の表示用ＰＣ１１に１台の色処理装置１３を介して１台の表示装置１２を接続する場合を例示しているが、これに限られるものではない。例えば、１台の色処理装置１３に複数台の表示装置１２を接続し、各表示装置１２に連続した異なる画像を表示する、所謂マルチモニタ構成とすることも可能である。
【００２０】
さて、本実施の形態の画像表示システム１０では、表示用ＰＣ１１ではなく色処理装置１３が、入力画像データに色変換処理を施すことで表示用の出力画像データを作成する。ここで、色処理装置１３における色変換処理で用いられる色変換テーブルは、例えば表示装置１２のデバイス特性と、ネットワークＮを介して接続される他の画像表示システムやプリンタ等のデバイス特性とを加味し、図１に示す画像表示システム１０および他の画像表示システムやプリンタ等での色表現を合致させるように、その作成が行われる。そして、画像表示システム１０では、画像表示システム１０に後述する色設定システムを外付けした状態で、表示装置１２のデバイス特性を加味した色変換テーブルの作成が実行される。
【００２１】
次に色処理装置１３で用いられる色変換テーブルの作成において、画像表示システム１０に取り付けられる色設定システムについて説明を行う。
図２は、図１に示す画像表示システム１０に色設定システム２０を取り付けた状態を説明するための図である。
【００２２】
本実施の形態の色設定システム２０は、画像表示システム１０の色処理装置１３に接続される設定用ＰＣ２１と、設定用ＰＣ２１に接続されるとともに画像表示システム１０の表示装置１２における表示画面１２１に表示された画像の色を測定する測色器２２とを備えている。
【００２３】
この色設定システム２０において、設定用ＰＣ２１および測色器２２は、ＵＳＢ（Universal Serial Bus）あるいはＲＳ−２３２Ｃを介して接続されている。また、色設定システム２０における設定用ＰＣ２１と画像表示システム１０における色処理装置１３とは、ＵＳＢを介して接続されている。
【００２４】
色設定システム２０において、設定用ＰＣ２１は、詳しくは後述するが所謂汎用のパーソナルコンピュータであり、例えば可搬性に優れたノート型ＰＣ等が用いられる。そして、設定用ＰＣ２１も、ＯＳによる管理下において、各種アプリケーションソフトウェアを動作させるようになっている。
【００２５】
また、測色器２２は、画像表示システム１０の表示装置１２に設けられた表示画面１２１に接触あるいは非接触に配置されることで、表示画面１２１に表示される画像の色を測定するセンサを備えている。この例において、測色器２２に設けられたセンサによる測定領域の大きさは、表示画面１２１の大きさ以下となるように設定されている。そして、測色器２２は、表示画面１２１の全領域について測色を行うのではなく、全領域のうち予め決められた一部領域について測色を行うように構成されている。
【００２６】
ここで、図２に示す色設定システム２０は、１台の設定用ＰＣ２１に１台の測色器２２を接続する場合を例示しているが、これに限られるものではない。例えば、１台の設定用ＰＣ２１に複数台の測色器２２を接続するように構成することも可能である。
【００２７】
本実施の形態では、色設定システム２０に設けられた設定用ＰＣ２１が、色変換テーブルを作成し、画像表示システム１０の色処理装置１３に設けられた色変換テーブル記憶部１３２に対し、色変換テーブルを書き込むことが可能となっている。本実施の形態において、この設定用ＰＣ２１は、色処理装置１３で用いられる色変換テーブルを作成する変換関係作成手段（画像処理装置）として捉えることができる。
【００２８】
そして、本実施の形態の画像表示システム１０は、通常は、色設定システム２０が取り付けられていない状態で、表示用ＰＣ１１が作成した入力画像データを、色処理装置１３にて色変換することで得られた表示用の出力画像データに基づく画像（表示用画像）を、表示装置１２の表示画面１２１に表示するようになっている。一方、この画像表示システム１０は、色変換テーブルの作成あるいは変更等を実行する際に、色設定システム２０が取り付けられた状態で、設定用ＰＣ２１が選択した測色用画像（色パッチ）を、表示装置１２の表示画面１２１に表示するようになっている。なおこのとき表示される測色用画像は、後述するように第１の測色用画像と第２の測色用画像の２通りがある。
【００２９】
以上説明したように、表示装置１２の色変換処理を行うために用いられる色変換テーブルを作成するためには、測色用画像を表示装置１２の表示画面１２１に表示し、測色器２２を用いて測色用画像を測定する必要がある。
【００３０】
ここで表示装置１２において画像を表示するために使用される基本色（プライマリ色）であるＲ（Ｒｅｄ）、Ｇ（Ｇｒｅｅｎ）、Ｂ（Ｂｌｕｅ）の各色について表示装置１２の種類に応じた色度目標を設定して色調整を行なう従来技術がある。しかしながら表示装置１２としては、種々の種別がある。そして異なる種別間で色表現を合致させるためにこのような色度目標を設定しただけでは、色調整後において低明度領域で階調のつぶれが発生したり、色合いが大きくずれ、同じ画像でも異なる色表現として表示されるなどの問題が生じることがある。これは、主に表示装置１２の種別が異なると、色域やデバイス特性の線形性の相違が大きいために生ずる現象である。
【００３１】
そこで本実施の形態では、測色用画像を表示装置１２の種別毎に変更し、表示画像の種別毎に色変換処理を行なう方法を決定して色変換テーブルを作成する。
以下、この色変換テーブルを使用する設定用ＰＣ２１の構成について説明を行なう。
【００３２】
＜設定用ＰＣのハードウェア構成例＞
まず設定用ＰＣ２１のハードウェア構成について説明する。
図３は、設定用ＰＣ２１のハードウェア構成を示した図である。
設定用ＰＣ２１は、上述したようにパーソナルコンピュータ等により実現される。そして図示するように、設定用ＰＣ２１は、演算手段であるＣＰＵ（Central Processing Unit）４１と、記憶手段であるメインメモリ４２、およびＨＤＤ（Hard Disk Drive）４３とを備える。ここで、ＣＰＵ４１は、ＯＳ（Operating System）やアプリケーションソフトウェア等の各種プログラムを実行する。また、メインメモリ４２は、各種プログラムやその実行に用いるデータ等を記憶する記憶領域であり、ＨＤＤ４３は、各種プログラムに対する入力データや各種プログラムからの出力データ等を記憶する記憶領域である。
【００３３】
さらに、設定用ＰＣ２１は、外部との通信を行うための通信インターフェース（以下、「通信Ｉ／Ｆ」と表記する）４４と、ビデオメモリやディスプレイ等からなり、画像を表示するモニタ４５と、キーボードやマウス等の入力デバイス４６とを備える。
【００３４】
＜設定用ＰＣの機能構成例＞
図４は、本実施の形態の設定用ＰＣ２１についての機能構成例を説明した図である。
図示した設定用ＰＣ２１は、種別取得部２１１と、画像選択部２１２と、画像データ記憶部２１３と、画像データ送信部２１４と、色データ取得部２１５と、測定位置決定部２１６と、色変換方法決定部２１７と、多次元ＬＵＴ作成部２１８とを備える。
【００３５】
種別取得部２１１は、表示装置１２の種類に関する情報である種別情報（表示装置１２の種別を表わすデータ）を取得する。ここで表示装置１２の種別としては、例えば、色域の違いやデバイス特性の線形性の程度により分類を行なうことが可能である。また本実施の形態では、面内むらが生じやすいか否か、色視野角が生じやすいか否かによっても種別の分類を行なう。なおここで色視野角が存在するとは、見る方向により表示される画像の色味が異なって見える現象のことであり、例えば、液晶パネルを使用した表示装置１２の場合に生じやすい。
【００３６】
図５は、上記分類基準により分類された表示装置の種別を示した表である。
図示するように本実施の形態では、表示装置１２を、「机上」、「大画面」、「プロジェクタ」、「タブレット」の４種類の種別に分類を行なっている。ここで「机上」とは、机上で使用される表示装置であり、主にＰＣ用の液晶ディスプレイなどが該当する。また「大画面」は、大面積の表示画面１２１を有する表示装置であり、主に、液晶テレビなどが該当する。また「プロジェクタ」は、スクリーン等に画像を投影して表示する装置が該当する。さらに「タブレット」は、スマートフォン、タブレット端末等の携帯端末が該当する。
【００３７】
即ち、「机上」の表示装置は、液晶パネルを使用するため、色視野角が生じやすい。また「大画面」の表示装置は、液晶パネルを使用するものが多く、そのため色視野角が生じやすいとともに、大画面であるため面内むらについても生じやすい。さらに「プロジェクタ」は、色域が他の表示装置に対し、より大きく相違することが多く、デバイス特性について非線形性の特性となりやすい。例えば、Ｒ、Ｇ、Ｂの各色について階調特性が局所的に変化する特性を保有していたり、グレイ色で加法混色が成立しておらず、大きくずれていることがある。さらに面内むらについても生じやすい。またさらに「タブレット」については、他の表示装置に対し、色域の違いやデバイス特性の線形性が大きく異なることもなく、色視野角や面内むらが生じにくいが、その点で他の表示装置に対し、異なる特性を有するため、種別の１つとして分類を行なっている。
【００３８】
なおこの種別取得部２１１が取得する表示装置１２の種別情報は、例えば、表示装置１２の測色を行なう作業者が設定用ＰＣ２１の入力デバイス４６を使用して行なうことができる。
【００３９】
画像選択部２１２は、種別取得部２１１が取得した種別情報に基づいて表示装置１２の測色用画像を選択する。
画像データ記憶部２１３は、画像選択部２１２で選択される測色用画像の画像データを記憶する。そして画像選択部２１２は、画像データ記憶部２１３から選択した測色用画像の画像データを取得する。
【００４０】
ここで画像選択部２１２で選択が行なわれ得る測色用画像は、主に２種類存在する。１つは、多次元ＬＵＴ作成部２１８で多次元ＬＵＴを作成するために使用する第１の測色用画像である。また他の１つは、面内むら診断のためおよび色視野角診断のための第２の測色用画像である。つまり本実施の形態では、第２の測色用画像は、表示装置１２の面内むらおよび色視野角の少なくとも一方を測定するためのものである。
【００４１】
画像選択部２１２は、まず後者の面内むらや色視野角を診断するための第２の測色用画像を選択するか否かを決定する。これは種別取得部２１１が取得した種別情報に基づいて行なわれ、表示装置１２の種別が、面内むらや色視野角が生じうるものであった場合、これらの第２の測色用画像を表示する決定が行なわれる。具体的には、表示装置１２の種別が、「大画面」または「プロジェクタ」だった場合は、面内むら診断のための第２の測色用画像を表示する決定が行なわれる。また表示装置１２の種別が、「机上」または「大画面」だった場合は、色視野角診断のための第２の測色用画像を表示する決定が行なわれる。
【００４２】
図６は、面内むら診断のための第２の測色用画像を説明した図である。
図示した面内むら診断のための第２の測色用画像Ｍは、表示装置１２の表示画面１２１中の予め定められた複数箇所に同一の画像を表示するものである。図示した例では、表示装置１２の上段中央、中段左方、中段中央、中段右方、下段中央の５箇所にそれぞれ同一の第２の測色用画像Ｍが表示される。そしてこの第２の測色用画像Ｍを測色することで表示装置１２の表示画面１２１の面内むらの程度が測定できる。なおこの第２の測色用画像Ｍとしては、例えば、白色画像、黒色画像、あるいは表示装置１２で画像を表示するために使用される基本色（プライマリ色）の画像である赤色画像、緑色画像、青色画像などが選ばれる。そしてこのそれぞれについて図６に示した方法で表示が行なわれる。
なお第２の測色用画像Ｍは、図６のように複数個所に同一の画像を表示するだけでなく、全面に１つの画像を表示して、測色する位置を図６で示す箇所としてもよい。
【００４３】
また図７（ａ）〜（ｃ）は、色視野角診断の方法を説明した図である。
ここで図７（ｂ）は、図７（ａ）に示した表示装置１２をＶＩＩｂ方向から見た図であり、表示装置１２を側方から見た図となっている。また図７（ｃ）は、表示装置１２を図７（ａ）に示した表示装置１２をＶＩＩｃより見た図であり、表示装置１２を上方より見た図となっている。
【００４４】
この場合、図７（ａ）に示すように表示装置１２の表示画面１２１の中央付近に色視野角診断のための第２の測色用画像Ｓを表示する。そして図７（ｂ）で示したように第２の測色用画像Ｓを正面方向から見た場合（矢印Ｔ１方向）と斜め上方（矢印Ｔ２方向）から見た場合についてそれぞれ測色を行なうとともに、図７（ｃ）で示したように第２の測色用画像Ｓを右方（矢印Ｔ３方向）から見た場合についてそれぞれ測色を行なう。これにより表示装置１２の表示画面１２１の色視野角の程度が測定できる。なお図７（ｃ）では、第２の測色用画像Ｓを右方から見た場合について測色を行なっていたが、左方から見た場合でもよく、何れか一方を測定すればよい。なおこの第２の測色用画像Ｓとしては、面内むら診断の場合と同様に、例えば、白色画像、黒色画像、あるいは表示装置１２で画像を表示するために使用される基本色（プライマリ色）の画像である赤色画像、緑色画像、青色画像などが選ばれる。そしてこのそれぞれについて図７に示した方法で測定が行なわれる。
【００４５】
本実施の形態では、表示装置１２の種別が、「机上」、「大画面」、「プロジェクタ」だった場合は、まず面内むら診断のための第２の測色用画像および色視野角診断のための第２の測色用画像の少なくとも一方が表示装置１２で表示される。そして面内むらや色視野角が生じているか否かが診断される。この診断は、詳しくは後述するが、測定位置決定部２１６で行なわれる。そしてこの診断結果に基づき、測色を行なう測定位置が決定された後で、上述した第１の測色用画像が表示装置１２に表示され、測色が行なわれる。つまり画像選択部２１２は、表示装置１２で第１の測色用画像の色情報（色データ）を取得する位置を決定するための第２の測色用画像を表示するか否かを種別情報に基づいて決定する。
【００４６】
なおここで選択される第１の測色用画像についても表示装置１２の種別により異なる。そして画像選択部２１２は、表示装置１２の種別に基づき第１の測色用画像を選択し、この選択された第１の測色用画像が表示装置１２で表示されることになる。
【００４７】
具体的には、画像選択部２１２は、種別取得部２１１が取得した種別情報に基づいて、選択する第１の測色用画像の数を変化させる。例えば、表示装置１２のデバイス特性について非線形性が高いものについては、第１の測色用画像のデータセットの数を多くする。即ち、データセットとして、例えば、第１の測色用画像がＲＧＢ色空間内でＲ、Ｇ、Ｂ各色について予め定められた間隔で変化させたものを用意するとき、非線形性が高い（線形性の低い）表示装置１２は、この間隔を狭くする。また線形性が高い（非線形性の低い）表示装置１２は、この間隔を広くする。この場合、間隔は、Ｒ、Ｇ、Ｂ各色について変化させてもよい。さらに均等間隔に限られるものではなく、色値が例えば、８ｂｉｔで表わされる場合（０〜２５５の整数値で表わされる場合）は、例えば、色値が２５５付近で間隔を広く設定してもよい。
【００４８】
まとめると本実施の形態では、まず表示装置１２によっては、第２の測色用画像を使用して面内むらと色視野角について診断を行なう予備的な測色が行なわれる。ここで予備的な測色を行なうか否かや、予備的な測色を行なうために使用する第２の測色用画像の選択は、画像選択部２１２が、表示装置１２の種別情報に基づいて行なう。
そしてこの後、多次元ＬＵＴを作成するための測色が行なわれる。このときに使用する第１の測色用画像の選択についても、画像選択部２１２が、表示装置１２の種別情報に基づいて行なう。
【００４９】
画像データ送信部２１４は、画像情報送信部の一例であり、表示装置１２の測色を行うために、画像選択部２１２が選択した第１の測色用画像および第２の測色用画像の情報（画像データ）を表示装置１２に送信する。
【００５０】
表示装置１２では、画像データ送信部２１４により送信された第１の測色用画像および第２の測色用画像の画像データを基に第１の測色用画像や第２の測色用画像の画像が順に表示される。表示装置１２に表示されたこれらの測色用画像は、測色器２２により色が読み取られる。そして測色器２２は、これらの測色用画像を読み取ることで取得した色情報（色データ）を設定用ＰＣ２１に対し、送信する。このとき測色器２２が出力する色データは、例えば、ＸＹＺ色空間におけるＸ値、Ｙ値、Ｚ値である。また例えば、Ｌ＊ａ＊ｂ＊色空間におけるＬ＊値、ａ＊値、ｂ＊値となる。
【００５１】
色データ取得部２１５は、色情報取得部の一例であり、測色器２２により送信された測色用画像の色データを取得する。
【００５２】
測定位置決定部２１６は、画像選択部２１２が、面内むら診断や色視野角診断のための第２の測色用画像を表示すると決定したときに、この第２の測色用画像を表示装置１２に表示することで色データ取得部２１５により取得された色データに基づいて、第１の測色用画像の色データを取得する位置を決定する。第１の測色用画像の色データを取得する位置としては、表示装置１２の表示画面１２１内での第１の測色用画像の表示位置(面内むら診断の場合)と、測色するときの測色器２２と表示画面１２１の角度（色視野角診断の場合）の２種類が挙げられる。
【００５３】
具体的には、図６や図７で説明した方法により得られた色データが予め定められた基準値以下であるか否かを判定する。
ここで面内むらの場合は、色データの最大値および最小値を平均値と比較し、この差分が基準値以下であった場合は、面内むらは、許容範囲内であると判断する。そして色データのうち平均値に最も近かった色データが測定された位置を、第１の測色用画像の測色を行なう位置とする。一方、この差分が基準値を超えた場合は、複数の位置を第１の測色用画像の測色を行なう位置とする。例えば、最大値、最小値、および中央値を示す色データが測定された３つの位置を、測色を行なう位置とする。
【００５４】
また色視野角の場合は、第２の測色用画像を正面方向から見た場合に得られた色データと他の方向から見た場合に得られた色データとを比較する。そしてこの差分が基準値以下であった場合は、色視野角は、許容範囲内であると判断する。そして正面方向から見た場合について第１の測色用画像の測色を行なう位置とする。一方、この差分が基準値を超えた場合は、複数の位置を第１の測色用画像の測色を行なう位置とする。例えば、第１の測色用画像を正面から見た場合、斜め上方から見た場合、左方から見た場合を測色を行なう位置とする。
【００５５】
色変換方法決定部２１７は、種別取得部２１１が取得した種別情報に基づいて、表示装置１２の色変換を行なうための方法を決定する。具体的には、色変換方法決定部２１７は、色変換を行なうための方法として、色域を変換する場合と色相を変換する場合についてその変換の程度を決定する。
【００５６】
図８（ａ）〜（ｃ）は、色変換方法決定部２１７が行なう色変換方法を説明した図である。
本実施の形態では、色域や色相を変換する程度として図８（ａ）に示すように３段階にて行なう。図中「Ａ」で示した場合は、色域や色相の変換を最も大きくしたものであり、図中「Ｃ」で示した場合は、色域や色相の変換を最も小さくしたものである。また図中「Ｂ」で示した場合は、この中間の程度で色域や色相の変換を行なう。なお図８（ａ）では、「○」で示す場合は、圧縮伸長係数を使用して色域の圧縮や伸長を行なう場合を示し、「×」で示す場合は、圧縮伸長係数を使用せず色域を変換する場合を示す。
【００５７】
図８（ｂ）は、色域の変換として色域の圧縮を行なう場合を説明した図である。
ここで図中「Ａ」で示した場合は、図８（ａ）の「Ａ」の場合に対応する。ここでは、色域の圧縮を圧縮伸長係数を乗算することで行なう。そして色域の圧縮を行なう場合にその程度を表わす圧縮伸長係数の大きさは、最も高く設定される。そのため図８（ｂ）の「Ａ」で示すように、色度の移動は最も大きくなる。
【００５８】
また図８（ｂ）で「Ｃ」で示した場合は、図８（ａ）の「Ｃ」の場合に対応する。この場合、色域の変換は、圧縮伸長係数を使用せず、色域の圧縮後において色域外の領域に存在する点については、全て設定された色域外郭上に変換される。
【００５９】
さらに図８（ｂ）で「Ｂ」で示した場合は、図８（ａ）の「Ｂ」の場合に対応する。この場合は、色域の圧縮を圧縮伸長係数を乗算することで行なうが、圧縮伸長係数の大きさは、「Ａ」の場合より低く設定される。そのため色域の圧縮の結果としては、図８（ｂ）に示すように「Ａ」の場合と「Ｃ」の場合の中間となる。
【００６０】
また図８（ａ）に示すように色域の伸長の場合は、図中「Ａ」で示した場合は、圧縮伸長係数を乗算することで行なうが、図中「Ｂ」および「Ｃ」で示した場合は、圧縮伸長係数を使用せず、全て設定された色域外郭上に変換される。
【００６１】
また図８（ｃ）は、色相の変換について説明した図である。
ここで図中「Ａ」で示した場合は、図８（ａ）の「Ａ」の場合に対応する。ここでは、色相の変換を色相補正係数を乗算することで行なう。そして色相補正係数は、この場合最も高く設定される。そのため図８（ｃ）の「Ａ」で示した場合のように、色相の変換は最も大きくなる。
【００６２】
図８（ｃ）で「Ｃ」で示した場合は、図８（ａ）の「Ｃ」の場合に対応する。この場合、色相の変換は行なわれない。
さらに図８（ｃ）で「Ｂ」で示した場合は、図８（ａ）の「Ｂ」の場合に対応する。この場合は、色域の変換を色相補正係数を乗算することで行なうが、色相補正係数の大きさは、「Ａ」の場合より低く設定される。そのため色相の変換の結果としては、図８（ｃ）に示すように「Ａ」の場合と「Ｃ」の場合の中間となる。
【００６３】
図９は、これまで説明した事項についてまとめた図である。
ここでは、本実施の形態で、表示装置１２の種別として設定した「机上」、「大画面」、「プロジェクタ」、「タブレット」について、表示装置１２の色変換を行なうための方法として色域の変換の程度と色相の変換の程度を第１列と第２列に示している。ここで「Ａ」〜「Ｃ」は、図８（ａ）の「Ａ」〜「Ｃ」と同様であり、「Ａ」は、変換の程度が最も高く、「Ｃ」は最も低い。そして「Ｂ」は、変換の程度が「Ａ」と「Ｃ」の間となる。
【００６４】
この結果として、色域の変換については、「机上」と「大画面」について最も高く設定される。この２つについては、色域の範囲が、他の場合より広く、そのため色域を大きく圧縮する必要がある。
また色相の変換については、「プロジェクタ」が最も高く設定される。「プロジェクタ」については、色相が他の場合とは、大きく相違することが多く、そのため色相の変換を大きくする必要がある。
【００６５】
また第３列と第４列には、それぞれの種別について面内むらや色視野角が生じやすいか否かについて示している。ここで「○」は、面内むらや色視野角が生じやすいものであることを示し、「×」は、面内むらや色視野角が生じにくいものであることを示す。
即ち、面内むらについては、「大画面」および「プロジェクタ」について生じやすく、色視野角については、「机上」および「大画面」について生じやすい。よってこれに該当する種別については、上述した面内むらや色視野角について診断を行なう第２の測色用画像を測色し、面内むらや色視野角の程度を判定する。
【００６６】
さらに第５列には、それぞれの種別について第１の測色用画像のデータセットの数について示している。ここで「Ａ」は、データセットの数を最も大きく設定することを意味し、「Ｃ」は、データセットの数を最も小さく設定することを意味する。そして「Ｂ」は、データセットの数については、「Ａ」と「Ｃ」の中間となる。よってデータセットの数としては、「Ａ」＞「Ｂ」＞「Ｃ」の関係となる。ここでは、「プロジェクタ」について最もデータセットの数を大きくする。これは「プロジェクタ」は、デバイス特性が非線形となりやすいためであり、データセットの数を増やすことで、色変換の精度を向上させる。
【００６７】
なお図９では、第６列に「照明環境」の項目を設けている。これについては、今まで説明を行なっていないが、表示装置１２が、通常の使用条件のときに、照明が行なわれない環境の下で使用される場合があるか否かを示している。つまり「○」は、照明が行なわれる環境と照明が行なわれない環境の双方で使用されうる種別である。一方、「×」は、通常は、照明が行なわれる環境で使用され、照明が行なわれない環境では使用されない種別である。つまり種別が「机上」以外では、この双方の照明環境において使用され得る。そのため本実施の形態では、「照明環境」についても考慮して第１の測色用画像を選択してもよい。具体的には、「大画面」、「プロジェクタ」、「タブレット」については、照明が行なわれる環境と照明が行なわれない環境の双方で同一の第１の測色用画像を測色する作業を行なう。
【００６８】
多次元ＬＵＴ作成部２１８は、色データ取得部２１５により取得された色データに基づいて表示装置１２にて表示する画像の色の色変換テーブルを作成する変換関係作成部として機能する。
【００６９】
＜設定用ＰＣの動作の説明＞
図１０は、設定用ＰＣ２１の動作例について説明したフローチャートである。
以下、図４および図１０を使用して設定用ＰＣ２１の動作について説明を行なう。
【００７０】
まず種別取得部２１１が、表示装置１２の種別情報を取得する（ステップ１０１）。
種別情報は、画像選択部２１２に送られ、画像選択部２１２が、種別情報により、表示装置１２で第２の測色用画像を表示するか否かを決定する（ステップ１０２）。この第２の測色用画像は、上述したように面内むら診断のためのものと色視野角診断のためのものがある。
【００７１】
そして表示すると決定した場合（ステップ１０２でＹｅｓ）、画像選択部２１２は、第２の測色用画像の選択を行なう（ステップ１０３）。そして画像データ記憶部２１３から該当する第２の測色用画像の画像データを取得する（ステップ１０４）。
【００７２】
取得された第２の測色用画像の画像データは、画像データ送信部２１４から表示装置１２に送信され（ステップ１０５）、表示装置１２では、予め定められた位置と順番で、第２の測色用画像が表示される。
【００７３】
またこの第２の測色用画像は、測色器２２により色が読み取られ、測色器２２は、測色結果としての色データを設定用ＰＣ２１に対し、送信する。この色データは、色データ取得部２１５により取得される（ステップ１０６）。
【００７４】
そして測定位置決定部２１６が、この色データに基づき第１の測色用画像を測定する位置（第１の測色用画像の色データを取得する位置）を決定する（ステップ１０７）。
【００７５】
そしてステップ１０７の後、および画像選択部２１２が第２の測色用画像を表示しないと決定した場合（ステップ１０２でＮｏ）、次に画像選択部２１２が、多次元ＬＵＴを作成するための第１の測色用画像の選択を種別情報に基づき行なう（ステップ１０８）。
【００７６】
さらに画像選択部２１２は、画像データ記憶部２１３から該当する第１の測色用画像の画像データを取得する（ステップ１０９）。
【００７７】
取得された第１の測色用画像の画像データは、画像データ送信部２１４から表示装置１２に送信され（ステップ１１０）、表示装置１２では、予め定められた位置と順番で、第１の測色用画像が表示される。なおこのとき第１の測色用画像は、表示装置１２の表示画面１２１上の測定位置決定部２１６で決定された位置に表示されることになる。また第２の測色用画像を表示しないと決定した場合の表示位置は、例えば、表示画面１２１中央となる。
【００７８】
またこの第１の測色用画像についても、測色器２２により色が読み取られ、測色器２２は、測色結果としての色データを設定用ＰＣ２１に対し、送信する。この色データは、色データ取得部２１５により取得される（ステップ１１１）。
【００７９】
そして色変換方法決定部２１７が、種別情報に基づき、表示装置１２の色変換を行なうための方法を決定する（ステップ１１２）。
【００８０】
次に多次元ＬＵＴ作成部２１８が、決定された色変換を行なうための方法に基づき、表示装置１２にて表示する画像の色を調整するための多次元ＬＵＴを作成する（ステップ１１３）。
そして作成された多次元ＬＵＴのデータは、色処理装置１３の色変換テーブル記憶部１３２（図１参照）に格納される色変換テーブルとしての多次元ＬＵＴの各格子点データとして格納される。
【００８１】
以上詳述した形態によれば、表示装置１２が、色域が大きく他と相違する場合や、面内むらや色視野角が存在し色再現特性が同一の装置でも異なることがある場合、デバイス特性が非線形である場合などでも、最適化した第１の測色用画像の選択を行なうことができる。そしてこれにより表示装置１２の色変換処理を高精度に行なうことができる色変換テーブルを作成することができる。
【００８２】
なお以上説明した例では、種別情報は作業者が入力するものとして説明したがこれに限られるものではない。例えば、種別を判定するための第３の測色用画像をさらに別途用意し、これに測色することにより種別をいわば自動的に判定することも可能である。この場合、画像選択部２１２は、種別を判定するための第３の測色用画像を選択する。そして色データ取得部２１５により取得された色データに基づいて種別を判定し種別情報を生成する。この場合、図４の設定用ＰＣ２１についての機能構成例に対し、種別判定部をさらに設けてもよい。そしてこの種別判定部が種別を判定し、生成された種別情報を種別取得部２１１が取得する。
具体的な判定方法としては、例えば、種別が「プロジェクタ」の場合は、基本色（プライマリ色）であるＧとＢの色度図上での距離が他の種別のものより小さい傾向がある。よって第３の測色用画像として緑色画像、青色画像を選択し、これを測色した色データを見ることで、種別が「プロジェクタ」であるか否かが判定できる。このように基本色の距離を見た場合、基本色の距離が比較的小さい種別は、「プロジェクタ」や「タブレット」であり、比較的大きい種別は、「机上」や「大画面」である。また他にも白色画像と黒色画像とを表示装置１２の表示画面１２１で表示したときの輝度差から種別の判定を行うこともできる。即ち、輝度差が比較的小さい種別は、「プロジェクタ」であり、比較的大きい種別は、「机上」や「大画面」である。
【００８３】
＜色調整システムの説明＞
また上述した色処理装置１３および設定用ＰＣ２１は、表示装置１２にて画像を表示するための画像データを、予め定められた色変換テーブルを用いて色変換処理を行い表示装置１２に出力する色処理装置１３と、色処理装置１３で用いられる色変換テーブルを作成する設定用ＰＣ２１と、を備えることを特徴とする色調整システムとして捉えることもできる。また色処理装置１３および設定用ＰＣ２１に、さらに画像を表示する表示装置１２を加えた色調整システムとしても捉えることができる。
【００８４】
＜プログラムの説明＞
ここで以上説明を行った本実施の形態における設定用ＰＣ２１が行なう処理は、上述した通り、例えば、アプリケーションソフトウェア等のプログラムとして用意される。
【００８５】
よって設定用ＰＣ２１が行なう処理は、コンピュータに、表示装置１２の種類に関する情報である種別情報を取得する機能と、取得した種別情報に基づいて表示装置１２の色変換を行うための第１の測色用画像を選択する機能と、選択された第１の測色用画像の画像データを表示装置１２に送信する機能と、送信された第１の測色用画像の画像データを基に表示装置１２に表示された画像の色データを取得する機能と、取得された色データに基づいて表示装置１２にて表示する画像の色の色変換テーブルを作成する機能と、を実現させるプログラムとして捉えることもできる。
【００８６】
なお、本実施の形態を実現するプログラムは、通信手段により提供することはもちろん、ＣＤ−ＲＯＭ等の記録媒体に格納して提供することも可能である。
【００８７】
以上、本実施の形態について説明したが、本発明の技術的範囲は上記実施の形態に記載の範囲には限定されない。上記実施の形態に、種々の変更または改良を加えたものも、本発明の技術的範囲に含まれることは、特許請求の範囲の記載から明らかである。
【符号の説明】
【００８８】
１０…画像表示システム、１１…表示用ＰＣ、１２…表示装置、１３…色処理装置、２０…色設定システム、２１…設定用ＰＣ、２２…測色器、２１１…種別取得部、２１２…画像選択部、２１３…画像データ記憶部、２１４…画像データ送信部、２１５…色データ取得部、２１６…測定位置決定部、２１７…色変換方法決定部、２１８…多次元ＬＵＴ作成部
【図１】
0006028685.tif 000002
【図２】
0006028685.tif 000003
【図３】
0006028685.tif 000004
【図４】
0006028685.tif 000005
【図５】
0006028685.tif 000006
【図６】
0006028685.tif 000007
【図７】
0006028685.tif 000008
【図８】
0006028685.tif 000009
【図９】
0006028685.tif 000010
【図１０】
0006028685.tif 000011